(57)【要約】【課題】装置の構成を簡素化し、被検査物を短時間で可視化することができる超音波画像検査装置を提供する。【解決手段】トランスデューサ１４はパルス励起されることによって超音波を生体組織２０に向けて照射するとともに、生体組織２０からの反射波を受信して電気信号に変換する。Ｘ−Ｙステージ１５は超音波の照射点を二次元的に走査させる。検波回路２８は、生体組織２０からの反射波の強度を検出する。ＣＰＵ３１は反射波の強度に基づいて生体組織２０の音響インピーダンスを求め、その音響インピーダンスに応じて音響インピーダンス像を生成する。【選択図】  図１
2006078408.tif 000002
【特許請求の範囲】
【請求項１】
パルス励起型超音波顕微鏡を利用して超音波を二次元走査しながら被検査物に照射し、得られた反射波に基づいて前記被検査物を可視化する超音波画像検査方法であって、
前記被検査物とは異なる既知の音響インピーダンスを有しかつ超音波を透過しうる透過部材の第１面に前記被検査物を接触させた状態で、前記透過部材の第２面側から前記被検査物に向けて超音波を照射するステップと、
前記被検査物の表面からの反射波の強度を検出するステップと、
前記反射波の強度と前記透過部材の音響インピーダンスとに基づいて前記被検査物の音響インピーダンスを求めるステップと、
前記被検査物の音響インピーダンスに基づいて音響インピーダンス像を生成する処理を行うステップと
を含むことを特徴とする超音波画像検査方法。
【請求項２】
パルス励起型超音波顕微鏡を利用して超音波を二次元走査しながら被検査物に照射し、得られた反射波に基づいて前記被検査物を可視化する超音波画像検査装置であって、
パルス励起されることによって超音波を被検査物に向けて照射するとともに、前記被検査物からの反射波を受信して電気信号に変換する超音波振動子と、
前記超音波の照射点を二次元的に走査させる二次元走査手段と、
前記超音波振動子で変換した信号に基づいて前記反射波の強度を検出する信号強度検出手段と、
前記信号強度検出手段により検出された前記反射波の強度に基づいて前記被検査物の音響インピーダンスを求める演算手段と、
前記被検査物の音響インピーダンスに基づいて音響インピーダンス像を生成する処理を行う画像生成手段と
を備えたことを特徴とする超音波画像検査装置。
【請求項３】
前記超音波振動子と前記被検査物との間に、前記被検査物とは異なる既知の音響インピーダンスを有しかつ超音波を透過しうる透過部材を備え、
その透過部材の第１面に前記被検査物を接触させた状態で、前記透過部材の第２面側から前記被検査物に超音波を照射するようにしたことを特徴とする請求項２に記載の超音波画像検査装置。
【請求項４】
前記二次元走査手段により超音波が走査される範囲内であってかつ前記透過部材の第１面に接触状態で配置され、前記透過部材とは異なる既知の音響インピーダンスを有するリファレンス部材を備え、
前記演算手段は、前記リファレンス部材における前記反射波の強度とその音響インピーダンスとを参照して、前記被検査物の音響インピーダンスを求めることを特徴とする請求項３に記載の超音波画像検査装置。
【発明の詳細な説明】
【技術分野】
【０００１】
本発明は、パルス励起型超音波顕微鏡を利用した超音波画像検査方法、超音波画像検査装置に関するものである。
【背景技術】
【０００２】
外科手術中において切除する部位の大きさは、術後の患者の負担を考えるとできるかぎり小さく抑えるべきであるが、患部の一部が切除されずに残ってしまうと病気が再発するといった問題がある。このため、切除後の残留部分から標本（生体組織）をサンプリングし、患部の拡がりがないことを確認する必要がある。現在、この作業は、摘出した生体組織の切片を染色し、光学顕微鏡で観察することによって行われている。組織確定診断は、病理学的所見に基づいて標本部分に患部が拡がっていないことを確認する診断であるが、切片の染色には数日を要することから、術後の確認に用いられている。
【０００３】
術中においては、縫合前に患部が残されていないことを短時間で判断することが要求される。そのため、特殊な染料を用いて短時間で染色し、標本部分に患部が拡がっていないことを概ね確認する「組織迅速診断」といった方法も実用化されている。ところが、この組織迅速診断においても１時間程度の時間を必要とし、この間手術が中断されるので、これに代わる方法として、超音波による音速像の観察が提案されている。つまり、超音波によって音速像を得る場合には、染色法を用いなくても生体組織の観察を行うことができる。このことから、組織確定診断を行う診断装置として超音波顕微鏡を応用した製品の開発が進められている。
【０００４】
具体的には、従来の超音波顕微鏡では、単一周波数のバースト波を利用し、反射した超音波信号の強度や位相を解析することで生体組織の性状を観察している。この超音波顕微鏡において、超音波信号の測定には長時間を要するとともに、十分な精度と安定度を持った発振器や測定系などのアナログシステムが必要となるため装置の大型化、複雑化などが問題となっていた。
【０００５】
これら問題を解消して術中診断を可能とするために、本発明者らによってパルス励起型の超音波顕微鏡が開発されている（例えば、非特許文献１参照）。このパルス励起型超音波顕微鏡では、図８に示すように、生体組織から切り出した厚さ数μｍの凍結切片４１をガラス基板４２上に固定し、パルス波でトランスデューサ４３を励起することにより、該トランスデューサ４３から出力された超音波Ｓｏが水などの媒質４４を介して凍結切片４１に照射される。そして、組織表面の反射波Ｓａとガラス基板４２（組織背面）の反射波Ｓｂとの合成波を受信し、それをフーリエ変換して基板４２からの直接反射と比較することにより、強度及び位相スペクトルを得る。
【０００６】
バースト波を用いた従来方式では１点の測定で周波数を切り替え何回も測定し組織表面の反射と背面の反射の干渉を観測したが、パルス励起型超音波顕微鏡では１回の測定で算出することができる。この測定で得られた信号強度の極小点の周波数をｆｍ、そのときの位相をφｍとすると、組織表面と背面からの反射は極小点では逆位相となる。すなわち、極小点においては組織表面からの反射は背面からの反射より位相が（２ｎ−１）π進んでおり、φｍ＋（２ｎ−１）πとなる（ｎは自然数）。従って、組織の厚さｄ、水の音速Ｃ０とすると、
【０００７】
【数１】
2006078408.tif 000003
が成立している。
【０００８】
従って、次式のように組織の厚さｄが求まる。
【０００９】
【数２】
2006078408.tif 000004
【００１０】
また、２ｄの距離を組織音速Ｃで通過した波と水の音速Ｃ０で通過した波との位相差がφｍであることから、
【００１１】
【数３】
2006078408.tif 000005
となり、次式のように組織音速Ｃが求まる。
【００１２】
【数４】
2006078408.tif 000006
【００１３】
このように、組織音速Ｃを測定しながら、トランスデューサ４３を二次元走査することにより、二次元の音速像が得られる。
【００１４】
このパルス励起型超音波顕微鏡では、広帯域のパルス波を用い、反射波をフーリエ変換して周波数領域で解析することにより、測定時間が短縮される。また、パルス発生回路はバースト波の回路に比べて簡単であり、パルス波は必要な周波数成分を含んでいればその波形成形が不要である。従って、この種のタイプの超音波顕微鏡の場合、ハードウエアを比較的簡単に実現することが可能である。
【００１５】
また、特許文献１では、生体の音響インピーダンス像を得るための音響インピーダンス測定装置が開示されている。この測定装置では、超音波振動子とλ／４整合層とを備えた超音波伝送路を複数本束ねて、各超音波伝送路で得られた音響インピーダンスにより生体を可視化している。具体的には、超音波伝送路の一端が超音波振動子に接続され、他端がλ／４整合層を介して被測定物に直接接触されている。そして、その超音波伝送路を伝搬するエコーパルス（反射波）をフーリエ変換し、それにより周波数領域の振幅と位相に変換されたフーリエスペクトルから被測定物の音響インピーダンスを算出している。また、超音波伝送路として石英ファイバーを使用しており、その直径に応じた分解能で音響インピーダンスが測定される。
【特許文献１】特開２００３−３２２５５８号公報
【非特許文献１】「医用超音波：パルス励起型超音波音速顕微鏡」（「超音波TECHNO」VOL.15 No.6(2003.11〜12)（１０１〜１０５頁）日本工業出版社発行）
【発明の開示】
【発明が解決しようとする課題】
【００１６】
ところで、上記パルス励起型超音波顕微鏡において音速像を得るためには、生体組織の凍結切片４１を使用する必要がある。従って、摘出した生体組織を極めて薄く切り落として凍結切片４１にするといった準備作業が必要となる。また、この超音波顕微鏡では、反射波をフーリエ変換し周波数領域で解析して音速像を得ていることから、フーリエ変換処理に時間がかかるばかりでなく、そのための処理回路も必要となる。
【００１７】
特許文献１の音響インピーダンス測定装置においても、反射波をフーリエ変換し周波数領域で解析する必要があるため、その処理に時間がかかり、さらに処理回路も必要となる。また、高分解能な音響インピーダンス像を得るために、石英ファイバーからなる超音波伝送路を極めて細く形成し、複数本の超音波伝送路を束ねる必要があるため、製造コストが嵩み、実用化における障害となる。さらに、複数本の超音波伝送路において、λ／４整合層を正確に形成することは困難であり、正確に形成できない場合には音響インピーダンスの算出の際に誤差が生じてしまう。
【００１８】
本発明は上記の課題に鑑みてなされたものであり、その目的は、装置の構成を簡素化し、かつ被検査物を短時間で可視化することができる超音波画像検査方法、超音波画像検査装置を提供することにある。
【課題を解決するための手段】
【００１９】
上記課題を解決するために、請求項１に記載の発明は、パルス励起型超音波顕微鏡を利用して超音波を二次元走査しながら被検査物に照射し、得られた反射波に基づいて前記被検査物を可視化する超音波画像検査方法であって、前記被検査物とは異なる既知の音響インピーダンスを有しかつ超音波を透過しうる透過部材の第１面に前記被検査物を接触させた状態で、前記透過部材の第２面側から前記被検査物に向けて超音波を照射するステップと、前記被検査物の表面からの反射波の強度を検出するステップと、前記反射波の強度と前記透過部材の音響インピーダンスとに基づいて前記被検査物の音響インピーダンスを求めるステップと、前記被検査物の音響インピーダンスに基づいて音響インピーダンス像を生成する処理を行うステップとを含むことを特徴とする超音波画像検査方法をその要旨とする。
【００２０】
請求項１に記載の発明によれば、超音波が二次元走査され、被検査物表面からの反射波の強度と透過部材の音響インピーダンスとに基づいて、音響インピーダンスが求められ音響インピーダンス像が生成される。この場合、音速像を得る場合のように生体組織を切り出して凍結切片にするといった準備作業の必要がない。また、パルス励起型超音波顕微鏡を用いているので、バースト波を用いる場合と比較して、被検査物の表面からの反射波の強度を容易に検出することができる。さらに、フーリエ変換するといった処理も不要となることから、被検査物を迅速に可視化することができる。また、被検査物表面に凸凹があったとしても、透過部材の第１面に被検査物を接触させることで凸凹が解消される。ゆえに、被検査物表面に対して一定角度方向から超音波を照射することができ、正確な音響インピーダンス像を得ることができる。
【００２１】
ここで「音響インピーダンス」とは、物質の体積弾性率（Ｋ）と密度（ρ）との積の平方根により決定される物理的パラメータであって、一般的にはＺで表現される。これを式で表すと、「Ｚ＝√Ｋ・√ρ」となる。従って、低密度の物質または柔らかい物質ほど音響インピーダンスの値は小さくなり、高密度の物質または固い物質ほど音響インピーダンスの値は大きくなる。さらに、被検査物である物体が例えば生体組織であるとすると、組織内における密度（ρ）のばらつきは非常に小さく、密度（ρ）はほぼ一定であると考えて差し支えない。ゆえにこの場合には、音響インピーダンスは生体組織の体積弾性率（Ｋ）のみの関数と把握でき、柔らかい組織ほど音響インピーダンスの値が小さくなり、固い組織ほど音響インピーダンスの値が大きくなる。
【００２２】
本発明において使用される透過部材は、被検査物とは異なる既知の音響インピーダンスを有している必要がある。その理由は、透過部材及び被検査物の音響インピーダンスが等しいと、両者の界面がインピーダンス不整合面とならず、当該界面において超音波が反射されないからである。なお、透過部材は、被検査物よりも大きな既知の音響インピーダンスを有することがよく、好ましくは１．５倍以上、特に好ましくは２倍以上の大きさの既知の音響インピーダンスを有することがよい。その理由は、両者の音響インピーダンスの差が大きいほど、両者の界面における反射波の強度が大きくなり、結果として正確な音響インピーダンス像が得やすくなるからである。
【００２３】
ただし、透過部材と超音波照射部（例えば超音波振動子）との間に媒質が満たされている場合、その媒質の音響インピーダンスの値もある程度考慮することが望ましい。その理由は、透過部材と超音波照射部との音響インピーダンス差が大きすぎると、両者の界面における反射波の強度が大きくなりすぎてしまい、正確な音響インピーダンス像を得るうえでマイナスになる可能性があるからである。それゆえ、透過部材は、媒質の音響インピーダンスの５倍以下、好ましくは４倍以下の大きさの既知の音響インピーダンスを有することがよい。
【００２４】
また、本発明において使用される透過部材は、超音波を透過しうる性質を有するばかりでなく、光を透過しうる性質を有することが好ましい。その理由は、透過部材をセットした状態であっても、その透過部材を介して被検査物の状態を容易に観察することができるからである。
【００２５】
以上のことを考慮すると、好適な透過部材として、透明樹脂製の透過部材を使用することがよく、中でも適度な固さを有する透明アクリル樹脂製の透過部材を使用することがよりよい。なお、前記透過部材は一定厚さであることが好ましいが、従来技術にて示したλ／４整合層ほど厳密な厚さが要求されるわけではなく、その意味において比較的簡単にかつ安価に形成することができる。
【００２６】
請求項２に記載の発明は、パルス励起型超音波顕微鏡を利用して超音波を二次元走査しながら被検査物に照射し、得られた反射波に基づいて前記被検査物を可視化する超音波画像検査装置であって、パルス励起されることによって超音波を被検査物に向けて照射するとともに、前記被検査物からの反射波を受信して電気信号に変換する超音波振動子と、前記超音波の照射点を二次元的に走査させる二次元走査手段と、前記超音波振動子で変換した信号に基づいて前記反射波の強度を検出する信号強度検出手段と、前記信号強度検出手段により検出された前記反射波の強度に基づいて前記被検査物の音響インピーダンスを求める演算手段と、前記被検査物の音響インピーダンスに基づいて音響インピーダンス像を生成する処理を行う画像生成手段とを備えたことを特徴とする超音波画像検査装置をその要旨とする。
【００２７】
請求項２に記載の発明によれば、超音波が二次元走査され、被検査物表面からの反射波の強度に基づいて、音響インピーダンスが求められ音響インピーダンス像が生成される。この場合、音速像を得る場合のように生体組織を切り出して凍結切片にするといった準備作業の必要がない。また、パルス励起型超音波顕微鏡を用いているので、バースト波を用いる場合と比較して、被検査物の表面からの反射波の強度を容易に検出することができ、信号強度検出手段の回路構成を簡素化することができる。さらに、フーリエ変換するといった処理も不要となることから、被検査物を迅速に可視化することができる。また、フーリエ変換するための回路が不要となり、超音波画像検査装置の製造コストを低減することができる。
【００２８】
本発明における信号強度検出手段は、被検査物表面からの反射波に応じた信号を抽出するゲート回路や、信号強度のピーク値をホールドするピークホールド回路、ノイズを除去するバンドパスフィルタなどを含んで構成されることがよい。そして、これらの回路を用いれば反射波の強度を確実に検出しやすくなる。また、本発明における画像生成手段は、コンピュータなどの処理装置で実現されることが好適であり、例えば、算出した音響インピーダンスの大きさに応じてカラー変調した画像データを生成することがよい。この画像データにより、音響インピーダンスの大きさに応じて色分けされた音響インピーダンス像を得ることができ、その音響インピーダンス像によって、音響インピーダンスの分布を容易に確認できる。さらに、本発明における好適な二次元走査手段としては、例えば、被検査物が固定された状態で水平方向に二次元的に移動するＸ−Ｙステージが用いられる。このＸ−Ｙステージは駆動モータによって移動されることで、超音波の高速走査が実現される。このほかの二次元走査手段としては、超音波振動子を二次元的に移動させて超音波を二次元走査するようなものでもよい。
【００２９】
請求項３に記載の発明は、請求項２において、前記超音波振動子と前記被検査物との間に、前記被検査物とは異なる既知の音響インピーダンスを有しかつ超音波を透過しうる透過部材を備え、その透過部材の第１面に前記被検査物を接触させた状態で、前記透過部材の第２面側から前記被検査物に超音波を照射するようにしたことを特徴とする超音波画像検査装置をその要旨とする。
【００３０】
請求項３に記載の発明によれば、被検査物表面に凸凹があったとしても、透過部材の第１面に被検査物を接触させることで凸凹が解消される。ゆえに、被検査物表面に対して一定角度方向から超音波を照射することができ、正確な音響インピーダンス像を得ることができる。この場合、望ましくは被検査物表面に対して直交する方向から超音波を照射することがよい。
【００３１】
請求項４に記載の発明は、請求項３において、前記二次元走査手段により超音波が走査される範囲内であってかつ前記透過部材の第１面に接触状態で配置され、前記透過部材とは異なる既知の音響インピーダンスを有するリファレンス部材を備え、前記演算手段は、前記リファレンス部材における前記反射波の強度とその音響インピーダンスとを参照して、前記被検査物の音響インピーダンスを求めることを特徴とする超音波画像検査装置をその要旨とする。
【００３２】
請求項４に記載の発明のように、リファレンス部材の反射波の強度とその音響インピーダンスとを被検査物の音響インピーダンスの算出に用いれば、測定条件（温度や測定系の回路特性）が変化し、被検査物に照射される超音波の強度が変動したとしても、被測定物に照射される超音波とその反射波との関係を補正することができ、被検査物の音響インピーダンスを正確に測定できる。また、リファレンス部材を走査範囲内に配置したことにより、リファレンス部材からの反射波の測定に続いて、被検査物の反射波を迅速に測定することができる。特に、リファレンス部材は、被検査物がセットされるセット部の周縁に設けられることがよい。このようにすると、二次元走査手段の走査ライン上にリファレンス部材と被検査物とが配置された状態になり、補正をリアルタイムで行うことが可能となる。
【００３３】
本発明において使用されるリファレンス部材は、透過部材とは異なる既知の音響インピーダンスを有している必要がある。その理由は、透過部材及びリファレンス部材の音響インピーダンスが等しいと、両者の界面がインピーダンス不整合面とならず、当該界面において超音波が反射されないからである。好適なリファレンス部材は、例えば、被検査物よりも大きな既知の音響インピーダンスを有することがよい。
【発明の効果】
【００３４】
以上詳述したように請求項１に記載の発明によれば、被検査物を短時間で可視化することができる超音波画像検査方法を提供することができる。また、請求項２〜４に記載の発明によれば、回路構成を簡素化し、被検査物を短時間で可視化することができる超音波画像検査装置を提供することができる。
【発明を実施するための最良の形態】
【００３５】
以下、本発明を具体化した一実施形態を図１〜図７に基づき説明する。
【００３６】
図１は、本実施形態の超音波画像検査装置１の概略構成を示している。超音波画像検査装置１は、大別してパルス励起型超音波顕微鏡２と、Ａ／Ｄボード３と、パーソナルコンピュータ（パソコン）４とによって構成されている。
【００３７】
超音波顕微鏡２には、パルス発生回路１１と、送受波分離回路１２と、受信回路１３と、トランスデューサ１４と、Ｘ−Ｙステージ１５と、エンコーダ（ＥＮＣ）１６と、コントローラ１７Ｘ，１７Ｙと、駆動モータ１８Ｘ，１８Ｙとが設けられている。
【００３８】
図２に示すように、超音波振動子としてのトランスデューサ１４は、酸化亜鉛の薄膜圧電素子１４ａと、サファイアロッドの音響レンズ１４ｂとからなる。パルス発生回路１１で発生された励起パルスが与えられると、薄膜圧電素子１４ａが振動し、所定周波数帯域の超音波が音響レンズ１４ｂを通して出力される。この音響レンズ１４ｂにおける超音波は円錐状に収束され、水などの媒質１９を介して生体組織２０の表面で焦点を結ぶようになっている。なお、本実施形態では、トランスデューサ１４として、口径１．２ｍｍ、焦点距離１．５ｍｍ、中心周波数８０ＭＨｚ、帯域幅５０〜１０５ＭＨｚ（−６ｄＢ）の仕様のものを用いている。ゆえに、音響インピーダンス像の解像度は数十ミクロンのオーダーとなっている。なお、超音波励起パルスの高周波数化（短波長化）は、音響インピーダンス像の解像度の向上に貢献する。
【００３９】
また、トランスデューサ１４の下方には、二次元走査手段としてのＸ−Ｙステージ１５が設けられ、そのステージ１５上には被検査物としての生体組織２０を固定した試料ホルダ２１が設けられている。
【００４０】
試料ホルダ２１は、その上面にアクリルなどの樹脂からなる厚さ０．５ｍｍの樹脂プレート２２を備えている。該樹脂プレート２２の下面側には、生体組織２０を挟み込んだ支持部材２３，２４がプラスチックテープ２５で固定されている。また、図２及び図３に示すように、支持部材２３の中央部であって超音波の走査範囲に対応する位置には、円形状の孔２３ａが形成されている。その孔２３ａの周縁には、エポキシ樹脂の硬化物からなるリファレンス部材２６が円環状に設けられている。なお、図３は、生体組織２０を固定した試料ホルダ２１をトランスデューサ１４側から見た平面図である。
【００４１】
このように構成した試料ホルダ２１では、透過部材としての樹脂プレート２２の下面（第１面）において支持部材２３の孔２３ａの内側に生体組織２０が入り込み、樹脂プレート２２の下面に生体組織２０が接触している。そして、その状態で樹脂プレート２２の上面（第２面）側から生体組織２０に向けて超音波が照射される。このように、樹脂プレート２２に生体組織２０を接触させることにより、生体組織２０の凸凹が解消され、組織表面に対して直交する方向から確実に超音波を照射することが可能となる。また、本実施形態では、樹脂プレート２２として透明なアクリル板を用いており、試料ホルダ２１にセットされた生体組織２０の状態が樹脂プレート２２を介して目視で確認できるようになっている。
【００４２】
図１に示すように、二次元走査手段としてのＸ−Ｙステージ１５は、生体組織を二次元的に動かすためのステージ１５Ｘ，１５Ｙを備えている。ステージ１５Ｘはモータ１８Ｘにより動かされ、ステージ１５Ｙはモータ１８Ｙによって動かされる。これらのモータ１８Ｘ，１８Ｙとしては、ワークを数ミクロンオーダーから数十ミクロンオーダーで正確に動かすことが可能なステッピングモータやリニアモータを使用することが好ましい。
【００４３】
モータ１８Ｘにはコントローラ１７Ｘが電気的に接続され、モータ１８Ｙにはコントローラ１７Ｙが電気的に接続されている。モータ１８Ｘ，１８Ｙは、それぞれコントローラ１７Ｘ，１７Ｙの駆動信号に応答して駆動されるようになっている。そして、これらモータ１８Ｘ，１８Ｙの駆動により、Ｘステージ１５Ｘを連続走査（連続送り）するとともに、Ｙステージ１５Ｙを間欠送りとなるよう制御することで、Ｘ−Ｙステージ１５の高速走査が可能となっている。
【００４４】
また、本実施形態においては、Ｘステージ１５Ｘに対応してエンコーダ１６が設けられており、このエンコーダ１６によりＸステージ１５の走査位置が検出される。具体的に、走査範囲を３００×３００個の測定点（ピクセル）に分割した場合、１回のＸ方向（水平方向）の走査が３００分割される。そして、各測定点の位置がエンコーダ１６によって検出され、パソコン４に取り込まれる。パソコン４はそのエンコーダ１６の出力に同期して駆動制御信号を生成して、その駆動制御信号をコントローラ１７Ｘに出力する。コントローラ１７Ｘは、この駆動制御信号に基づいてモータ１８Ｘを駆動する。また、コントローラ１７Ｙは、エンコーダ１６の出力信号に基づきＸ方向の１ラインの走査が終了した時点でモータ１８Ｙを駆動して、Ｙステージ１５ＹをＹ方向に１ピクセル分移動させる。
【００４５】
さらに、コントローラ１７Ｘは、駆動制御信号に同期してトリガ信号を生成してパルス発生回路１１に供給する。これにより、パルス発生回路１１において、そのトリガ信号に同期したタイミングで励起パルスが生成される。その励起パルスが送受波分離回路１２を介してトランスデューサ１４に供給されると、該トランスデューサ１４から超音波が照射される。
【００４６】
図４には、Ｘ−Ｙステージ１５の移動に伴う超音波の走査範囲Ｒ１の一例を示している。この例では、走査範囲Ｒ１の左上の隅にリファレンス部材２６が配置されるようになっており、その位置から走査が開始される。そして、矢印で示すように、生体組織２０の表面に沿ってＸ方向及びＹ方向に二次元的に走査が順次行われる。
【００４７】
トランスデューサ１４の薄膜圧電素子１４ａは、送受波兼用の超音波振動子であり、生体組織２０で反射した超音波（反射波）を電気信号に変換する。そして、その反射波の信号は、送受波分離回路１２及び受信回路１３を介してＡ／Ｄボード３の検波回路２８に供給される。
【００４８】
信号強度検出手段としての検波回路２８は、図示しないゲート回路、遅延回路、演算回路、ＢＰＦ（バンドパスフィルタ）及びピークホールド回路などを含んで構成されたアナログ回路である。本実施形態の検波回路２８は、いわば所定波形の反射波信号の中から必要とする信号成分を検出してそれを取り出し、生体組織２０からの反射波の信号強度を検出するための回路であるということができる。
【００４９】
ここで、本実施形態の検波回路２８が行う具体的な信号処理について、図５のタイミングチャートに従い説明する。
【００５０】
図５に示すように、トランスデューサ１４で受波した反射波信号（原波形）には、樹脂プレート２２表面（媒質１９との界面）での反射に由来する反射波信号成分、生体組織２０表面（樹脂プレート２２との界面）での反射に由来する反射波信号成分、生体組織２０内部での反射に由来する反射波信号成分などが含まれている。従って、検波回路２８では、ゲートパルスに応じてゲート回路が動作して、各反射波信号成分のなかから、生体組織２０表面での反射に由来する反射波信号成分が主として切り出される。このゲートパルスは、トランスデューサ１４への励起パルスの出力タイミングから所定時間が経過したときに出力される。また、ゲート回路による切り出し波形に同期して、窓関数パルス用のトリガが生成される。
【００５１】
生体組織２０表面の反射波信号は、遅延回路を通して所定時間だけ遅延される。得られた信号に乗算器を用いて窓関数パルスをかけると、生体組織２０表面の反射波信号成分に続くノイズ成分が抑制される。このようなノイズ成分は、生体組織２０内部での反射に由来するものである。さらに、この信号をＢＰＦに通すことにより、高周波ノイズが除去された波形（検波波形）の信号が得られる。そして、その検波波形のピーク値がピークホールド回路でホールドされ、そのピーク値が検波回路２８から出力される。なお、図示しないが、測定点毎（励起パルスがトランスデューサ１４に出力される毎）にリセット信号が検波回路２８に供給され、ピークホールド回路でホールドされているピーク値が初期値にリセットされるようになっている。
【００５２】
図１に示すように、検波回路２８からのアナログ出力信号は、Ａ／Ｄ変換回路２９に供給されてＡ／Ｄ変換された後、デジタル信号としてパソコン４に転送される。
【００５３】
パソコン４は、ＣＰＵ３１、インターフェース（Ｉ／Ｆ）３２，３３、メモリ３４、記憶装置３５、入力装置３６、及び表示装置３７を備え、それらはバス３８を介して相互に電気的に接続されている。
【００５４】
ＣＰＵ３１は、メモリ３４を利用して制御プログラムを実行し、装置全体を統括的に制御する。制御プログラムとしては、Ｘ−Ｙステージ１５による二次元走査を制御するためのプログラムや音響インピーダンスを算出するためのプログラムなどを含む。
【００５５】
インターフェース３２は、Ａ／Ｄボード３からの転送データを取り込むための通信ポート（例えば、ＵＳＢポート）である。インターフェース３３は、コントローラ１７Ｘへの駆動制御信号を出力したりエンコーダ１６の出力信号を取り込むための入出力ポートである。
【００５６】
表示装置３７は、例えば、ＬＣＤやＣＲＴなどのカラーディスプレイであり、生体組織２０の音響インピーダンス像や、各種設定の入力画面を表示するために用いられる。入力装置３６は、マウス装置等のポインティングデバイスや、キーボードなどであり、ユーザからの要求や指示、パラメータの入力に用いられる。
【００５７】
記憶装置３５は、磁気ディスク装置や光ディスク装置などであり、その記憶装置３５には制御プログラム及び各種のデータが記憶されている。ＣＰＵ３１は、入力装置３６による指示に従い、プログラムやデータを記憶装置３５からメモリ３４へ転送し、それを逐次実行する。なお、ＣＰＵ３１が実行するプログラムとしては、メモリカード、フレキシブルディスク、光ディスクなどの記憶媒体に記憶されたプログラムや、通信媒体を介してダウンロードしたプログラムでもよく、その実行時には記憶装置３５にインストールして利用する。
【００５８】
次に、生体組織２０の音響インピーダンスを算出する方法について説明する。
【００５９】
本実施形態では、リファレンス部材２６からの反射波の強度と生体組織２０からの反射波の強度とを測定し、それら反射波の強度に基づいて生体組織２０の音響インピーダンスを求めている。
【００６０】
具体的には、図６（ａ）に示すように、樹脂プレート２２を介してリファレンス部材２６に超音波Ｓｏを照射し、リファレンス部材２６での反射波Ｓｒを測定する。リファレンス部材２６においてその表面と直交する角度で照射される超音波（入射波）Ｓｏと反射波Ｓｒとの間には、次式（５）の関係が成り立つ。
【００６１】
【数５】
2006078408.tif 000007
【００６２】
ただし、Ｚｓは樹脂プレート２２の音響インピーダンスであり、Ｚｒはリファレンス部材２６の音響インピーダンスである。本実施形態において、Ｚｓ，Ｚｒの値は既知であり、それぞれ３．２１×１０６Ｎｓ／ｍ３，１．６７×１０６Ｎｓ／ｍ３である。
【００６３】
また、図６（ｂ）に示すように、生体組織２０に超音波Ｓｏを照射し、生体組織２０での反射波Ｓｔを測定する。生体組織２０においてその表面と直交する角度で照射される超音波Ｓｏと反射波Ｓｔとの間には、次式（６）の関係が成り立つ。
【００６４】
【数６】
2006078408.tif 000008
【００６５】
ただし、Ｚｔは生体組織２０の音響インピーダンスである。
【００６６】
従って、上記式（５），（６）から生体組織２０の音響インピーダンスＺｔは、次式（７）により求められる。
【００６７】
【数７】
2006078408.tif 000009
【００６８】
なお、樹脂プレート２２の音響インピーダンスＺｓやリファレンス部材２６の音響インピーダンスＺｒは、既知の値であるため、制御プログラムのデータとして記憶装置３５に予め記憶されている。また、上記の式（６）で示されるように、樹脂プレート２２の音響インピーダンスＺｓが生体組織２０の音響インピーダンスＺｔと等しい場合、生体組織２０表面で超音波が反射しなくなる。そのため、樹脂プレート２２としては、生体組織２０の音響インピーダンスＺｔを考慮してその材料を選択するとよい。そこで、例えば、音響インピーダンスＺｓが生体組織２０の３倍程度の大きさの材料を用いる。また、水などの媒質１９との界面となる樹脂プレート２２の上面側でも超音波の反射が起こるため、媒質１９の音響インピーダンスも考慮して樹脂プレート２２の材料を選択することが好ましい。
【００６９】
次に、本実施形態において、音響インピーダンス像を生成するための処理について、図７のフローチャートに従い説明する。
【００７０】
まず、超音波顕微鏡２の初期動作として、ＣＰＵ３１からの指示に基づいてコントローラ１７Ｘ，１７Ｙによりモータ１８Ｘ，１８Ｙが駆動され、走査位置がリファレンス部材２６に位置するようにＸ−Ｙステージ１５が移動される。またこのとき、励起パルスがトランスデューサ１４に供給されると、図６（ａ）に示すように、リファレンス部材２６に超音波Ｓｏが照射され、その反射波Ｓｒが検波回路２８で検出される。そして、ＣＰＵ３１は、Ａ／Ｄ変換回路２９で変換されたデジタルデータをインターフェース３２を介して取得し、そのデータをリファレンス部材２６の反射波の強度としてメモリ３４に一旦格納する（ステップ１００）。
【００７１】
その後、ＣＰＵ３１からの指示に基づいてコントローラ１７Ｘ，１７Ｙによりモータ１８Ｘ，１８Ｙが駆動され、Ｘ−Ｙステージ１５による二次元走査が開始される。ＣＰＵ３１は、エンコーダ１６の出力に基づいて測定点の座標データを取得する（ステップ１１０）。そして、図６（ｂ）に示すように、生体組織２０に超音波Ｓｏが照射され、その反射波Ｓｔが検波回路２８で検出される。ＣＰＵ３１は、Ａ／Ｄ変換回路２９で変換されたデジタルデータを生体組織２０の反射波の強度としてメモリ３４に一旦格納する（ステップ１２０）。
【００７２】
その後、演算手段としてのＣＰＵ３１は、得られたリファレンス部材２６及び生体組織２０での反射波Ｓｒ，Ｓｔの強度と、リファレンス部材２６及び樹脂プレート２２の音響インピーダンスＺｒ，Ｚｓとを用いて、上記の式（７）に対応した演算処理を行い測定点での音響インピーダンスＺｔを算出する。そして、ＣＰＵ３１は、算出された音響インピーダンスＺｔを測定点の座標データに関連付けてメモリ３４に記憶する（ステップ１３０）。
【００７３】
その後、画像生成手段としてのＣＰＵ３１は、算出した音響インピーダンスＺｔに基づいて音響インピーダンス像を生成するための画像処理を行う（ステップ１４０）。詳しくは、ＣＰＵ３１は、音響インピーダンスＺｔを用いてカラー変調処理を行い、音響インピーダンスＺｔの大きさに応じた画像データを生成し、該画像データをメモリ３４に記憶する。これの具体例を挙げると、音響インピーダンスＺｔの値が大きくなるほど赤色系の色調を強くし、音響インピーダンスＺｔの値が小さくなるほど青色系の色調を強くするような画像処理を行う。
【００７４】
ＣＰＵ３１は、全ての測定点での処理が終了し、１画面分の画像データが取得されたか否かを判断する（ステップ１５０）。ここで、全データが取得されていない場合、ＣＰＵ３１は、ステップ１１０に戻って、ステップ１１０〜１５０の処理を繰り返し実行する。そして、全データが取得された場合には、該データを表示装置３７に転送して、該データに応じた音響インピーダンス像を表示させた後、図７の処理を終了する。
【００７５】
この処理により、生体組織２０表面での音響インピーダンスの大きさに応じて色分けされた音響インピーダンス像が表示され、その音響インピーダンス像によって、生体組織２０における音響インピーダンスの分布が確認可能となる。
【００７６】
また、本実施形態において、表示装置３７に音響インピーダンス像を表示させた状態で入力装置３６を操作し、音響インピーダンス像における所定のポイント（座標）を指定すると、ＣＰＵ３１により、その座標に対応する音響インピーダンスのデータがメモリ３４から読み出される。そして、表示装置３７における表示画面にその音響インピーダンスの値が表示される。
【００７７】
さて、以上詳述した本実施形態によれば以下の効果を得ることができる。
【００７８】
（１）本実施形態の超音波画像検査装置１では、光学的に組織切片を観察する場合のように組織の染色作業を必要としない。また、超音波で音速像を得る場合のように、生体組織を凍結切片にする必要がなく、フーリエ変換するといった処理も不要となる。従って、生体組織２０を迅速に可視化することができ、術中における組織診断への利用が可能となる。なお、音響インピーダンスＺは、上記のごとく「Ｚ＝√Ｋ・√ρ」と表すことができるほか、「Ｚ＝ρＣ」、つまり音速Ｃと密度ρの積で表すこともできる。また、生体組織２０の密度は１．０８ｇ／ｃｍ３程度であり、組織部位間または患部・健全部間で大きな差がないため、音響インピーダンスＺと生体組織２０の体積弾性率Ｋ（ここでは固さと考えてよい。）との間には相関関係がある。同様に、音響インピーダンスＺと音速Ｃとの間には相関関係がある。よって、音響インピーダンス像によって音速像とほぼ等価な情報を得ることができ、生体組織２０の微細構造を見ることが可能となる。例えば、癌化した生体組織においてコラーゲン線維が増加すると、その部分が正常組織に比較して硬化するので、その状況を組織レベルの音響インピーダンス像で確認することが可能となる。
【００７９】
（２）パルス励起型超音波顕微鏡２を用いているので、バースト波を用いる場合と比較して、生体組織２０の表面からの反射波の強度を容易に検出することができ、検波回路２８の回路構成を簡素化することができる。また、音速像を得る場合とは異なり、フーリエ変換回路が不要となる。従って、検波回路２８を含むＡ／Ｄボード３の回路構成を簡素化することができ、超音波画像検査装置１の製造コストを低減することができる。
【００８０】
（３）生体組織２０表面に凸凹があったとしても、樹脂プレート２２の下面（第１面）に生体組織２０を接触させることで凸凹が解消される。ゆえに、生体組織２０表面に対して一定角度方向（本実施形態では直交する方向）から確実に超音波を照射することができ、正確な音響インピーダンス像を得ることができる。
【００８１】
（４）測定条件（温度や測定系の回路特性）が変化し、トランスデューサ１４から出力される超音波の強度が変動したとしても、図６（ａ）に示すように、リファレンス部材２６の反射波Ｓｒを検出し、その強度に基づいて音響インピーダンスを算出することにより、測定条件の変動に応じた補正が可能となる。これにより、正確な音響インピーダンス像を得ることができる。
【００８２】
（５）図３及び図４に示すように、試料ホルダ２１において、生体組織２０のセット部となる孔２３ａの周縁にリファレンス部材２６が設けられ、該リファレンス部材２６がＸ−Ｙステージ１５による走査範囲Ｒ１内に配置されている。この場合、走査ライン上にリファレンス部材２６と生体組織２０とが配置され、リファレンス部材２６からの反射波の測定に続いて、生体組織２０の反射波を迅速に測定することができる。
【００８３】
（６）表示装置３７に表示された音響インピーダンス像において、入力装置３６を操作し所定のポイント（例えば、病巣の疑いがある箇所）を指定することにより、そのポイントの音響インピーダンス値を容易に確認することができる。
【００８４】
（７）樹脂プレート２２が透明であるので、試料ホルダ２１にセットされた生体組織２０の状態を容易に目視確認することができる。
【００８５】
（８）生体組織２０を凍結切片にする必要がなく、単なる切片の状態であっても検査が可能であるため、組織構造をより正確に観察することができる。
【００８６】
（９）光学顕微鏡では、使用するＣＣＤセンサなどが異なると、同じ生体組織２０を見ても同じ色合いの画像を再現することは困難であるが、音響インピーダンス像は、再現性のある定量的な音響インピーダンス値を用いて可視化されるので、同じ被検査物であれば同一の画像を得ることができる。
【００８７】
（１０）超音波画像検査装置１では、測定系でのアナログ調整の必要がなく、その操作が簡単である。また、バースト波を用いる従来装置と比較して小型化できるので、手術室などの限られたスペースに配置して使用することができる。
【００８８】
（１１）超音波画像検査装置１を用いれば、術中において摘出した生体組織２０の確定診断を短時間で行うことができるので、組織確定診断以外の多くの作業も並行して行うことができる。その結果、手術時間の短縮と信頼性の向上を図ることができる。具体的に、光学顕微鏡を用いた従来の外科手術では、患部の切除後に開腹状態で迅速診断を行い、概ね問題ないことを確認した時点で縫合し、最終的に手術に問題がなかったことが確認されるまで数日を要していた。また、問題がある場合には再手術が必要となってしまう。これに対して、超音波画像検査装置１を用いれば、開腹状態において短時間で組織確定診断が可能となることから、従来のような縫合後に再手術を行うといったケースは大幅に減少される。
【００８９】
なお、本発明の実施形態は以下のように変更してもよい。
【００９０】
・上記実施形態では、超音波画像検査装置１を利用して、生体組織２０の音響インピーダンス像を得るものであったが、生体組織２０以外のものを被検査物としてその音響インピーダンス像を得てもよい。
【００９１】
・上記実施形態の超音波画像検査装置１では、カラー変調による音響インピーダンス像を得るものであったが、それ以外に輝度変調した音響インピーダンス像として可視化してもよい。
【００９２】
・上記実施形態において、パソコン４を用いて超音波画像検査装置１を構成したが、それ以外にワークステーションなどのコンピュータを用いてもよい。また、音響インピーダンス像を表示する表示装置３７は、パソコン４に一体的に設けられるものであったが、パソコン４と別体で設けてもよい。
【００９３】
・上記実施形態において、走査開始時にリファレンス部材２６での反射波Ｓｒの強度を検出するものであったがこれに限定されるものではない。例えば、生体組織２０における１走査ラインの音響インピーダンスの測定を行う度に、リファレンス部材２６での反射波Ｓｒの強度を検出して、その強度に基づいて音響インピーダンスの算出を行うようにしてもよい。この場合、リファレンス部材２６が両側もしくは片側に位置するよう走査範囲Ｒ１を設定する。このようにすれば、測定条件が急激に変わる場合に、測定条件の変動に応じた補正をリアルタイムで行うことができる。なお、リファレンス部材２６は、生体組織２０のセット部の周縁に設ける必要はなく、走査範囲Ｒ１のいずれかの位置に設けるものであればよい。
【００９４】
・上記実施形態では、測定点毎に反射波の強度を検出し音響インピーダンスを求めるようにしたが、反射波の強度の検出を全ての測定点について行い、その後の処理ステップにおいて各測定点での音響インピーダンス（１画面分の複数の音響インピーダンス）を一括で求めるようにしてもよい。
【００９５】
・例えば超音波の強度を調節する機構を有する超音波顕微鏡において、予め設定した正確な強度の超音波を生体組織２０に照射できる場合、試料ホルダ２１におけるリファレンス部材２６を省略してもよい。この場合、照射した超音波の強度（Ｓｏ）とその反射波の強度（Ｓｒ）とに基づいて音響インピーダンスを算出することができる。
【００９６】
・ガン組織などの音響インピーダンスが既知である場合、その音響インピーダンスが測定された領域を、警告を促す色で表示するように構成してもよい。これにより、術中での生体組織診断を迅速に行うことが可能となる。
【００９７】
次に、特許請求の範囲に記載された技術的思想のほかに、前述した実施形態によって把握される技術的思想を以下に列挙する。
【００９８】
（１）前記インピーダンス像の所定の座標を指定する入力装置を備え、その入力装置により指定された座標に対応する音響インピーダンスの値を表示装置に表示することを特徴とする請求項２乃至４のいずれか１項に記載の超音波画像検査装置。
【００９９】
（２）前記信号強度検出手段は、前記反射波に応じた信号を抽出するためのゲート回路と、信号強度のピークをホールドするピークホールド回路とを含んで構成されることを特徴とする請求項２乃至４のいずれか１項に記載の超音波画像検査層装置。
【０１００】
（３）前記被検査物は生体組織であり、前記音響インピーダンス像に基づいて生体組織診断を行うことを特徴とする請求項２乃至４のいずれか１項に記載の超音波画像検査装置。
【０１０１】
（４）前記画像生成手段は、輝度変調またはカラー変調して画像表示するための画像データを生成することを特徴とする請求項２乃至４のいずれか１項に記載の超音波画像検査装置。
【０１０２】
（５）前記リファレンス部材は、前記被検査物がセットされるセット部の周縁に設けられることを特徴とする請求項４に記載の超音波画像検査装置。
【図面の簡単な説明】
【０１０３】
【図１】一実施形態の超音波画像検査装置を示す概略構成図。
【図２】パルス励起型超音波顕微鏡の要部を示す概略構成図。
【図３】試料ホルダの平面図。
【図４】走査範囲の一例を示す説明図。
【図５】検波回路の動作を説明するためのタイムチャート。
【図６】リファレンス部材及び生体組織での反射を説明するための説明図。
【図７】音響インピーダンス像の生成処理を示すフローチャート。
【図８】従来のパルス励起型超音波顕微鏡での測定方法を示す模式図。
【符号の説明】
【０１０４】
１…超音波画像検査装置
２…パルス励起型超音波顕微鏡
１４ａ…超音波振動子としての薄膜圧電素子
１５…二次元走査手段としてのＸ−Ｙステージ
２０…被検査物としての生体組織
２２…透過部材としての樹脂プレート
２６…リファレンス部材
２８…信号強度検出手段としての検波回路
３１…演算手段及び画像生成手段としてのＣＰＵ
Ｒ１…走査範囲
【図１】
2006078408.tif 000010
【図２】
2006078408.tif 000011
【図３】
2006078408.tif 000012
【図４】
2006078408.tif 000013
【図５】
2006078408.tif 000014
【図６】
2006078408.tif 000015
【図７】
2006078408.tif 000016
【図８】
2006078408.tif 000017